(57)【要約】【課題】無線タグの読取精度を高く維持しつつ装置を小型化する。【解決手段】無線タグがそれぞれ付された複数の品、例えば商品をまとめて載置する品載置部１２を、品を載置した状態で回転可能とする。また、この品載置部１２の下方及び上方の少なくとも一方と該品載置部１２の後方とにそれぞれアンテナ１３を設ける。アンテナ１３は、品載置部１２に載置された各品にそれぞれ付された無線タグに対して無線電磁波による問合せを行ない、この問合せに対して各無線タグから無線電磁波で応答される情報を順次受信するものである。しかして、各アンテナ１３で受信した無線タグからの情報により、品載置部１２に載置された各品にそれぞれ付された無線タグの記憶部に記憶された情報、例えば商品識別コード等を読み取るようにする。【選択図】    図１
2004265112.tif 000002
【特許請求の範囲】
【請求項１】
複数の品にそれぞれ付された無線タグの記憶部にそれぞれ記憶された情報を読み取る無線タグ読取装置において、
前記無線タグがそれぞれ付された複数の品をまとめて載置した状態で回転可能な品載置部と、
前記無線タグから前記情報を無線受信するためのアンテナを前記品載置部の下方及び上方の少なくとも一方と該品載置部の後方とにそれぞれ設けたタグ情報読取手段と、
を具備したことを特徴とする無線タグ読取装置。
【請求項２】
前記品載置部に品が載置されたことを検知する検知手段と、この検知手段により品が載置されたことを検知したことに応じて前記品載置部を回転させる回転制御手段と、
をさらに具備したことを特徴とする請求項１記載の無線タグ読取装置。
【請求項３】
前記品載置部に載置された全ての品にそれぞれ付された前記無線タグから前記情報を前記アンテナで受信したか否かを判定する受信完了判定手段と、
この受信完了判定手段により受信完了を判定すると前記品載置部の回転を停止させる回転停止手段と、
をさらに具備したことを特徴とする請求項２記載の無線タグ読取装置。
【請求項４】
複数の商品にそれぞれ付された無線タグの記憶部にそれぞれ記憶された商品識別コード等の情報を読み取る無線タグ読取装置において、
前記無線タグがそれぞれ付された１顧客分の商品をまとめて載置した状態で回転可能な品載置部と、
前記無線タグと無線通信するためのアンテナを前記品載置部の下方及び上方の少なくとも一方と該品載置部の後方とにそれぞれ設けて１顧客分の商品にそれぞれ付された無線タグから前記商品識別コード等の情報を読み取るタグ情報読取手段と、
このタグ情報読取手段により読み取った商品識別コード等の情報を出力する情報出力手段と、
を具備したことを特徴とする無線タグ読取装置。
【請求項５】
前記品載置部に１顧客分の商品が載置されたことを検知する検知手段と、
この検知手段により１顧客分の商品が載置されたことを検知したことに応じて前記品載置部を回転させる回転制御手段と、
をさらに具備したことを特徴とする請求項４記載の無線タグ読取装置。
【請求項６】
前記品載置部に載置された１顧客分の商品にそれぞれ付された各無線タグから前記情報を前記アンテナで全て受信したか否かを判定する受信完了判定手段と、
この受信完了判定手段により受信完了を判定すると前記品載置部の回転を停止させる回転停止手段と、
をさらに具備したことを特徴とする請求項５記載の無線タグ読取装置。
【請求項７】
各商品別にその商品識別コードに対応して１品あたりの重さである単位重量値を記憶する商品重量記憶手段と、
前記品載置部に載置された１顧客分の商品の総重量を計測する総重量計測手段とを具備し、
前記完了判定手段は、前記タグ情報読取手段により前記無線タグから読み取った商品識別コードに対応して前記商品重量記憶手段により記憶されている単位重量を読出して合計し、その合計重量が前記総重量計測手段により計測された重量値と一致するか否かを判断して、一致すると判断した場合に受信完了とすることを特徴とする請求項６記載の無線タグ読取装置。
【請求項８】
前記品載置部に載置された１顧客分の商品が収容体に入れられていることの宣言を受付ける宣言受付手段を設け、
前記完了判定手段は、前記タグ情報読取手段により前記無線タグから読み取った商品識別コードに対応して前記商品重量記憶手段により記憶されている単位重量を読出して合計し、その合計重量が前記総重量計測手段により計測された重量値と一致するか否かを判断し、前記宣言受付手段により前記１顧客分の商品が前記収容体に入れられていることの宣言を受付けると、前記合計重量に前記収容体の重量を加算して前記総重量計測手段により計測された重量値と一致するか否かを判断して、一致すると判断した場合に受信完了とすることを特徴とする請求項７記載の無線タグ読取装置。
【発明の詳細な説明】
【０００１】
【発明の属する技術分野】
本発明は、各品、例えば商品にそれぞれ付された各無線タグの記憶部に記憶された情報を一括して読み取る無線タグ読取装置に関する。
【０００２】
【従来の技術】
複数の無線タグのメモリに記憶された情報を一括して読み取る無線タグ読取装置を使用して、商品の登録作業を簡略化した商品登録システムが開発されている。このシステムは、各商品毎にそれぞれその商品固有の商品識別コード等が記憶された無線タグを付す。そして無線タグ読取装置によって、買い物篭に入れられた１顧客分の商品にそれぞれ付された無線タグから商品識別コード等のメモリ情報を一括して読み取り、このメモリ情報に基づいて１顧客分の商品の売上を処理するものである（例えば、特許文献１参照）。
【０００３】
ところで、買い物篭等に入れられた全ての品にそれぞれ付された無線タグからメモリ情報を漏れなく読み取るためには、各無線タグに対して無線電磁波による問合せを行ない、かつ各無線タグから無線電磁波により問合せ相手に送信される情報を受信するアンテナを、買い物篭の全方位に設ける必要があった。このため従来は、図６に示すように、横長のカウンタ１のほぼ中央に買い物篭４が通過し得るトンネル状のアンテナ取付部２を設け、このアンテナ取付部２の周囲に６枚のアンテナ３−１，３−２，３−３，３−４，３−５，３−６を配置する。そして、１顧客分の商品を収容した買い物篭（商品は図示せず）４を、アンテナ取付部２のトンネル内を通すことによって、各商品に付された無線タグのメモリ情報を読み取るようにしていた。
【０００４】
【特許文献１】
特開平１０−０４９７５６号公報
【０００５】
【発明が解決しようとする課題】
しかしながら、従来の無線タグ読取装置は、無線タグが付された品が収容された収容体を通過可能なトンネル状のアンテナ取付部２を必要としていたので、アンテナ取付部２の占める面積が大きくなり、大型の装置にならざるを得なかった。しかも、アンテナ取付部２の両側部にはカウンタ１のように収容体を置くためのスペースが必要で、この点からも装置の小型化は困難であり、スペースの効率が悪かった。
【０００６】
また、買い物篭４等の収容体をアンテナ取付部２のトンネル内に押し込んだりトンネル内から引っ張り出したりする作業が要求され、作業者にとって大変重労働であった。その上、大量の品をまとめてトンネル内を通すには、必ず品を買い物篭４のような収容体に入れなければならないという制約もあった。
【０００７】
本発明はこのような事情に基づいてなされたもので、その目的とするところは、複数の品にそれぞれ付された各無線タグの記憶部にそれぞれ記憶された情報を精度よく一括読取できるのは勿論のこと、装置を小型化でき、スペース効率を良好にできる上、作業者の負担も大幅に軽減できる無線タグ読取装置を提供しようとするものである。
【０００８】
【課題を解決するための手段】
本発明の無線タグ読取装置は、無線タグがそれぞれ付された複数の品、例えば商品をまとめて載置する品載置部を、品を載置した状態で回転可能とする。また、この品載置部の下方及び上方の少なくとも一方と該品載置部の後方とにそれぞれアンテナを設ける。各アンテナは、品載置部に載置された各品にそれぞれ付された無線タグに対して無線電磁波による問合せを行ない、この問合せに対して各無線タグから無線電磁波で応答される情報を順次受信するものである。しかして、各アンテナで受信した無線タグからの情報により、品載置部に載置された各品にそれぞれ付された無線タグの記憶部に記憶された情報、例えば商品識別コード等を読み取るようにした。
【０００９】
このような構成を採用したことにより、品載置部に載置された各商品は、品載置部の回転によって必ず品載置部の後方に設けられたアンテナに接近するので、この後方に設けられたアンテナと該品載置部の下方又は上方の少なくとも一方に設けられたアンテナとによって、各商品にそれぞれ付された各無線タグの情報が精度よく読み取られる。したがって、品載置部の前方や側方にアンテナを設ける必要がない。よって、品載置部の前方または側方から品を品載置部に置けばよいので作業しやすい上、品載置部の両側に台を設ける必要もなく、スペースを活用できる。
【００１０】
【発明の実施の形態】
以下、本発明の実施の形態を図面を用いて説明する。
なお、この実施の形態は、本発明の無線タグ読取装置を、商品登録システムの商品識別コード入力装置として機能させる場合である。
【００１１】
図１の（ａ），（ｂ）はこの実施の形態における無線タグ読取装置１０の外観斜視図であり、図２は無線タグ読取装置１０の要部構成を示すブロック図である。無線タグ読取装置１０は、矩形状をなす読取台１１の上面中央部に、品載置部としての円形回転板（以下、回転板と略称する）１２を取り付けている。回転板１２は、読取台１１の内部に組み込まれた回転機構１５により、商品や商品が入れられた買い物籠４等を載せた状態で略水平に回転可能となっている。
【００１２】
無線タグ読取装置１０は、回転板１２の下側に位置する読取台１１内に、第１のアンテナ１３−１を埋設している。また、読取台１１の後端部から回転板１２の上方部に向かってＣ形のアンテナ取付部１４を読取台１１と一体的に設けている。そして、アンテナ取付部１４における回転板１２の後方に位置する部位に第２のアンテナ１３−２と第３のアンテナ１３−３とを上下に埋設し、回転板１２の上方に位置する部位に第４のアンテナ１３−４を埋設している。
【００１３】
本実施の形態では、図３に示すように、各商品３０毎にタグコードと商品コードとをメモリに記憶した無線タグ３１を貼り付けている。タグコードは、無線タグ３１毎に異なる値が設定されており、タグ識別コードとして機能する。商品コードは、商品の種別に異なる値が設定されており、商品識別コードとして機能する。第１〜第４のアンテナ１３−１〜１３−４は、各商品３０にそれぞれ付された各無線タグ３１に対して無線電磁波による問合せを行ない、この問合せに対して各無線タグ３１から無線電磁波で応答されるメモリ情報，すなわちタグコードと商品コードとを受信する。
【００１４】
無線タグ読取装置１０は、制御部本体としてマイクロプロセッサ２１を設けている。そして、このマイクロプロセッサ２１により、重量計２２、駆動モータ２３、商品センサ２４、アンテナ回路２５、操作表示部２６、通信インタフェース２７、商品情報ファイル２８及びワークメモリ２９をそれぞれ制御するものとなっている。
【００１５】
重量計２２は、回転板１２の上に載置された物品の重量を計測するもので、総重量計測手段を構成する。
駆動モータ２３は、前記回転機構１５の駆動源である。回転機構１５は、駆動モータ２３がオンして動力が伝達されると、回転板１２を例えば時計回りに回転させる。なお、回転板１２を反時計回りに回転させてもよいし、モータ２３の正転，逆転により時計回りと反時計回りとを交互に回転させてもよい。
【００１６】
商品センサ２４は、回転板１２に商品３０や買い物篭４等の物品が載置されている状態を検知するもので、検知手段として機能する。商品センサ２４としては回転板１２に載置された物品によって重さが変化したことを検知する重量センサや、回転板１２に載置された物品によって遮光されたことを検知する光学センサ等を用いることができる。
【００１７】
アンテナ回路２５は、各アンテナ１３−１〜１３−４の無線電磁波送受信を制御する。
操作表示部２６は、籠有りボタン２６１、読取中ランプ２６２及び読取終了ランプ２６３を設けたもので、例えばアンテナ取付部１４の背面側に取り付けられている。籠有りボタン２６１は、１顧客分の商品が買い物篭４に入れられた状態で回転板１２に置かれたことをオペレータ（通常はキャッシャ）が宣言するボタンであり、マイクロプロセッサ２１は、この籠有りボタン２６１が操作されたことを検知する宣言受付手段を備えている。
【００１８】
通信インタフェース２７は、有線又は無線を利用してＰＯＳ端末４０とデータ通信を行なうものである。ＰＯＳ端末４０は、顧客が購入する商品３０の決済を処理する決済装置として機能する。
【００１９】
商品情報ファイル２８は、図４に示すように、各商品３０にそれぞれ設定された商品コード，商品名，商品価格及び商品重量を商品別に設定記憶するものである。商品価格及び商品重量は、対応する商品コードが設定された商品１点当たりの販売価格と重量値である。
ワークメモリ２９は、１顧客分のメモリエリアとして、商品総重量エリア２９１，合計重量エリア２９２及び商品データエリア２９３を形成している。
【００２０】
マイクロプロセッサ２１は、１顧客に対して図５の流れ図に示す処理を実行する。なお、初期状態として、ワークメモリ２９の各エリア２９１〜２９３はクリアされている。操作表示部２６の各ランプ２６２，２６３は消灯している。駆動モータ２３は停止している。
【００２１】
マイクロプロセッサ２１は、ＳＴ（ステップ）１として商品センサ２４がオンするのを待機している。回転板１２の上に商品３０または商品３０が入れられた買い物篭１４が載置されると商品センサ２４がオンするので、マイクロプロセッサ２１は、商品センサ２４がＯＮしたことを検知すると、ＳＴ２として重量計２２による計量値を読込む。そして、ＳＴ３としてこの計量値をワークメモリ２９の商品総重量エリア２９１に格納する。
【００２２】
次に、マイクロプロセッサ２１は、ＳＴ４として駆動モータ２３を起動し、回転機構１５を介して回転板１２を回転させるとともに（回転制御手段）、操作表示部２６の読取中ランプ２６２を点灯又は点滅させて、無線タグ３１のメモリ情報読み取り中であることを作業者に報知する。
【００２３】
次に、マイクロプロセッサ２１は、ＳＴ５として回転板１２に載置された各商品３０にそれぞれ付された各無線タグ３１のメモリ情報（タグコード，商品コード）を読み取る（タグ情報読取手段）。すなわちマイクロプロセッサ２１は、アンテナ回路２５を制御して、各アンテナ１３−１〜１３−４から無線タグ３１に対してメモリ情報を問い合わせる信号を無線電磁波で発信させる。この問合せ信号を受信した無線タグ３１は、メモリに記憶されたタグコードと商品コードの情報を無線電磁波で発信し、この無線電磁波は問合せ信号送信元のアンテナ１３−１〜１３−４で受信されるので、マイクロプロセッサ２１は、アンテナ回路２５を介して各無線タグ３１のメモリ情報を読み取る。
【００２４】
マイクロプロセッサ２１は、無線タグ３１のメモリ情報を読み取る毎に、ＳＴ６としてそのメモリ情報のタグコードが商品データエリア２９３に格納されていない新規のコードか否かを判断する。当該タグコードが既に商品データエリア２９３に格納されており新規のコードでない場合にはＳＴ５に戻り、次の無線タグ３１のメモリ情報を読み取る。
【００２５】
無線タグ３１から読み取ったメモリ情報のタグコードが新規のコードの場合には、マイクロプロセッサ２１は、ＳＴ７としてそのメモリ情報から商品コードを取得する。そして、ＳＴ８として商品情報ファイル２８を検索して当該商品コードに対応して設定されている商品名，商品価格及び商品重量の商品情報を読込み、タグコード及び商品コードとともに商品データエリア２９３に蓄積格納する。また、ＳＴ９として当該商品情報の商品重量を合計重量エリア２９３の値に加算する。
【００２６】
次に、マイクロプロセッサ２１は、ＳＴ１０として商品総重量エリア２９１の値と合計重量エリア２９２の値とを比較して一致するか否かを判断する（受信完了判定手段）。一致しない場合にはＳＴ５に戻り、次の無線タグ３１のメモリ情報を読み取る。
【００２７】
ＳＴ５にて無線タグ３１のメモリ情報が読取られるまでの間に、ＳＴ１１として操作表示部２６の籠有りボタン２６１が操作されたことを検知すると、マイクロプロセッサ２１は、ＳＴ１２として合計重量エリア２９２の値に予め設定された買い物籠４の重量値を加算する。しかる後、ＳＴ１０に進み、商品総重量エリア２９１の値と合計重量エリア２９２の値とを比較して一致するか否かを判断する（受信完了判定手段）。一致しない場合にはＳＴ５に戻り、次の無線タグ３１のメモリ情報を取る。
【００２８】
ＳＴ１０にて合計重量エリア２９２の値が商品総重量エリア２９１の値に一致した場合には、マイクロプロセッサ２１は、回転板１２に載置された１顧客分の商品にそれぞれ付された各無線タグ３１から応答されるメモリ情報の受信を完了したと判定する。そして、ＳＴ１３として駆動モータ２３を停止させて、回転板１２の回転を止める（回転停止手段）。また、各アンテナ１３−１〜１３−４からの無線電磁波の発信も停止させる。さらに、読取中ランプ６２を消灯し、読取終了ランプ２６３を点灯又は点滅させて、１顧客分の商品の無線タグ読取終了を作業者に報知する。
【００２９】
なお、合計重量エリア２９２の値が商品総重量エリア２９１の値に一致したか否かの判断は、完全一致である必要はなく、若干の許容範囲を持たせるものとする。すなわち、合計重量エリア２９２の値が商品総重量エリア２９１の値と略等しくなったとき一致したと判定する。
【００３０】
その後、マイクロプロセッサ２１は、ＳＴ１４として商品データエリア２９３に蓄積されたデータから商品コード，商品名，商品価格を読込み、通信インタフェース２７を介してＰＯＳ端末４０に送信する（情報出力手段）。これにより、ＰＯＳ端末４０では、無線タグ読取装置１０から送られてきた商品コード，商品名及び商品価格の情報に基づいて１顧客分の商品の売上が処理される。ここに、無線タグ読取装置１０は、商品登録システムの商品コード入力装置として機能する。
【００３１】
さて、ＰＯＳ端末４０へ商品データエリア２９３の情報を送信した後、マイクロプロセッサ２１は、ＳＴ１５として商品センサ２４がオフするのを待機する。回転板１２に載置された１顧客分の商品３０又はこの商品３０が入れられた買い物篭４が取り除かれると商品センサ２４がオフするので、商品センサ２４がオフしたことを検知すると、マイクロプロセッサ２１は、ＳＴ１６としてワークメモリ２９の各エリア２９１，２９２，２９３をクリアする。また、読取終了ランプ２６３を消灯して、１顧客に対する処理を終了する。
【００３２】
なお、ＳＴ５にて無線タグ３１のメモリ情報が読取られるまでの間に、ＳＴ１７として商品センサ２４がオフした場合には、１顧客分の商品の無線タグ読取処理の途中で商品が除去されて取引が中断されたので、マイクロプロセッサ２１は、ワークメモリ２９の各エリア２９１，２９２，２９３をクリアするとともに、読取中ランプ２６２を消灯して、１顧客に対する処理を終了する。
【００３３】
このように構成された本実施の形態においては、１顧客が購入する全ての商品３０を無線タグ読取装置１０の回転板１２にまとめて載せる。このとき、各商品３０を買い物篭４に入れてから載せてもよいし、買い物篭４に入れずに商品３０だけを載せてもよい。
【００３４】
回転板１２に商品３０が載せられると、重量計２２によってその総重量、すなわち買い物篭４を使わなかった場合には各商品３０の総重量、買い物篭４を使った場合には各商品３０の総重量に買い物篭４の重量を加算した重量が計測される。計測された総重量は、商品総重量エリア２９１に格納される。
【００３５】
総重量の計量後、回転板１２が回転を始める。また、各アンテナ１３−１〜１３−４から各無線タグ３１に対してメモリ情報を問い合わせる無線電磁波が発信される。これにより、回転板１２の中心軸近傍に置かれた商品３０に付された無線タグ３１は、回転板１２の下方に設けられた第１のアンテナ１３−１または上方に設けられた第４のアンテナ１３−４からの無線電磁波に応答する。また、回転板１２の周囲近傍に置かれた商品３０に付された無線タグ３１は、たとえ第１のアンテナ１３−１または第４のアンテナ１３−４からの無線電磁波に応答しなくても、回転板１２の回転に伴って必ず回転板１２の後方に設けられた第２のアンテナ１３−２及び第３のアンテナ１３−３に近づくので、この第２のアンテナ１３−２または第３のアンテナ１３−３からの無線電磁波に応答する。したがって、回転板１２に載置された１顧客分の商品３０にそれぞれ付された各無線タグ３１のメモリ情報は、商品３０が買い物篭４に入れられているか否かに関わらず無線タグ読取装置１０によって確実に読み取られる。
【００３６】
無線タグ３１のメモリ情報が読み取られると、そのメモリ情報のタグコードから既に読み取った無線タグ３１の情報か否かが判断される。新規のタグコードが読み取られた場合に限り、そのタグコードとともに当該無線タグ３１のメモリに記憶されている商品コードが取得され、この商品コードに対応して商品情報ファイル２８に設定されている商品名，商品価格及び商品重量が読み出される。そして、商品データエリア２９３にタグコード，商品コード，商品名，商品価格及び商品重量が蓄積格納される。また、商品重量が合計重量エリア２９２の値に加算される。
【００３７】
したがって、商品３０を買い物篭４に入れずに回転板１２に直接載置した場合には、籠４内にある全ての商品３０の無線タグ３１のメモリ情報が読み取られた時点で、合計重量エリア２９２の値が商品総重量エリア２９１の値に略一致するので、読取終了と判断され、回転板１２が停止する。
【００３８】
一方、買商品３０を買い物篭４に入れた場合には、そのままでは回転板１２に載置された全ての商品３０の無線タグ３１のメモリ情報が読み取られても合計重量エリア２９２の値が商品総重量エリア２９１の値に到達することはない。そこでこの場合には、籠有りボタン２６１を操作する。そうすると、合計重量エリア２９２の値に籠重量が加算されるので、全ての商品３０の無線タグ３１のメモリ情報が読み取られた時点で、合計重量エリア２９２の値が商品総重量エリア２９１の値に略一致し、回転板１２の回転が停止する。
【００３９】
なお、籠有りボタン２６１を操作し忘れた場合には、合計重量エリア２９２の値が商品総重量エリア２９１の値よりも買い物籠４の重量分不足するので、読取終了と誤判断されることはない。因みに、買物籠４が使用されないときにボタンを操作して合計重量エリア２９２から籠重量を減算する仕様とした場合には、ボタンを操作し忘れたときに、籠重量と略等しい重さ商品に付された無線タグの情報が読み取られていなくても合計重量エリア２９２の値が商品総重量エリア２９１の値に略一致して読取終了と誤判断される可能性がある。
【００４０】
このように本実施の形態によれば、１顧客分の商品を無線タグ読取装置１０の正面または両側面から回転板１２に載置するだけで、その１顧客分の商品に付された無線タグ３１のメモリ情報をまとめて精度よく読み取ることができるので、トンネル状のアンテナ取付部２を備えた従来装置を使用する場合と比較して、作業者の負担を大幅に軽減することができる。また、１顧客分の商品３０を買い物籠４に入れなければならないという制約もなくなる。
【００４１】
また、アンテナ取付部１４が回転板１２の前方や側方に設けられていないので、アンテナ取付部１４の占める面積を小さくできる上、アンテナ取付部１４の両側に買い物籠４を置くためのスペースも不要なので、無線タグ読取装置１０を小型に構成できる。その結果、カウンタ１等の大型構造物を排除できるので、店舗では会計場のスペースを効率よく利用することができる。因みに、買い物籠４は、回転板１２後方のアンテナ１３−２，１３−３と籠内の商品が少しでも近づくように、水平断面が正方形をなすものや円形をなすものが好ましい。
【００４２】
なお、前記実施の形態では、回転板１２に１顧客分の商品３０が載置されたことを検知して自動的に回転板１２を回転させ、この１顧客分の商品に付された無線タグ３１のメモリ情報読取完了を判断すると、回転板１２を自動的に停止させるようにしたが、例えば操作表示部２６に回転板１２の停止を指令するボタンを設け、回転板１２の停止のみを手動で行なうようにしてもよい。こうすることにより、重量値を利用した受信完了判定手段のハードウェア構成及びソフトウェア構成を一切不要にできるので、構成の簡略化を図ることができる。
【００４３】
また、駆動モータ２３や回転機構２２を省略して回転板１２を手動で回転させるように構成しても、作業者は商品を回転板１２に載置した後に該回転板１２を手で回転させればよいので作業性は良好であり、トンネル状のアンテナ取付部２内に買い物籠４を通過させる従来と比べて作業者の負担は軽減される。
【００４４】
また、前記一実施の形態では、４つのアンテナ１３−１〜１３−４を使用したが、少なくとも回転板１２の下方又は上方のいずれか一方に１つと、回転板１２の後方に１つの計２つあればよい。また、品載置部としての回転板１２は、必ずしも円板である必要はない。品を載せた状態での回転に支障がない形状であればよい。
【００４５】
また、前記実施の形態では、商品情報ファイル２８を設けて各商品の品名，価格，重量を商品コード別に記憶したが、これらの情報の少なくとも一部を無線タグ３１のメモリに記憶して、タグコード及び商品コードとともに無線タグ読取装置１０によって読取るようにしてもよい。
【００４６】
また、前記実施の形態では、１顧客分の商品総重量と無線タグ３１から読取った商品コードに対応して設定されている商品重量値との合計とが一致すると品載置部（回転板１２）に載置された全ての品にそれぞれ付された無線タグ３１から応答される情報をアンテナ１３−１〜１３−４で受信したと判定したが、受信完了判定手段はこれに限定されるものではなく、例えば新規のタグコードを一定時間読取らなかった場合に受信完了と判定してもよい。
【００４７】
また、本発明の無戦タグ読取装置は、商品登録システムの商品識別コード入力装置以外にも適用できるものである。例えば、入出庫される品の管理システムや検品システム等にも適用することができる。
【００４８】
【発明の効果】
以上詳述したように本発明の無線タグ読取装置によれば、複数の品にそれぞれ付された各無線タグの記憶部にそれぞれ記憶された情報を精度よく一括読取できるのは勿論のこと、装置を小型化でき、スペース効率を良好にできる上、作業者の負担も大幅に軽減できるという優れた効果を奏し得る。
【図面の簡単な説明】
【図１】本発明の一実施の形態である無線タグ読取装置の外観斜視図。
【図２】同無線タグ読取装置の要部構成を示すブロック図。
【図３】同実施の形態において商品と無線タグの関係を説明するための模式図。
【図４】同実施の形態において無線タグ読取装置が有する商品情報ファイルのデータ構造を示す模式図。
【図５】同実施の形態において無線タグ読取装置のマイクロプロセッサが実行する主要な処理の要部を示す流れ図。
【図６】従来の無線タグ読取装置の一例を示す斜視図。
【符号の説明】
１０…無線タグ読取装置、１２…回転板、１３−１，１３−２，１３−３，１３−４…アンテナ、１４…アンテナ取付部、１５…回転機構、２１…マイクロプロセッサ、２２…重量計、２４…商品センサ、２６…操作表示部、２７…通信インタフェース、２８…商品情報ファイル、３１…無線タグ。
【図１】
2004265112.tif 000003
【図２】
2004265112.tif 000004
【図３】
2004265112.tif 000005
【図４】
2004265112.tif 000006
【図５】
2004265112.tif 000007
【図６】
2004265112.tif 000008